(57)【要約】【課題】コストダウンや省スペース化を図りつつ、ライセンスプレートの取付角度の違いに対応することができるライセンスランプ一体型テールランプを提供すること。【解決手段】ハウジング一体型のリフレクタ２とこれを覆うレンズ３によって画成された灯室４内に、ＬＥＤ基板５と、該ＬＥＤ基板５の表裏に第１ＬＥＤ９と第２ＬＥＤ１０をそれぞれ実装し、前記第１ＬＥＤ９からの光を車両後方に向けて照射し、前記第２ＬＥＤ１０からの光を前記リフレクタ２の反射面２ｃで下方に向けて反射させてライセンスプレートを上方から照明するライセンスランプ一体型テールランプ１において、前記ＬＥＤ基板５上での前記第２ＬＥＤ１０の上下方向位置を調整可能とする。又、前記ＬＥＤ基板５の位置を車両前後方向に調整可能とする。更に、前記リフレクタ２の反射部２Ａの形状を変更可能とする。【選択図】図２
2014103061.tif 000002
【特許請求の範囲】
【請求項１】
ハウジング一体型のリフレクタとこれを覆うレンズによって画成された灯室内に、ＬＥＤ基板と、該ＬＥＤ基板の表裏に第１ＬＥＤと第２ＬＥＤをそれぞれ実装し、前記第１ＬＥＤからの光を車両後方に向けて照射し、前記第２ＬＥＤからの光を前記リフレクタの反射面で下方に向けて反射させてライセンスプレートを上方から照明するライセンスランプ一体型テールランプにおいて、
前記ＬＥＤ基板上での前記第２ＬＥＤの上下方向位置を調整可能としたことを特徴とするライセンスランプ一体型テールランプ。
【請求項２】
ハウジング一体型のリフレクタとこれを覆うレンズによって画成された灯室内に、ＬＥＤ基板と、該ＬＥＤ基板の表裏に第１ＬＥＤと第２ＬＥＤをそれぞれ実装し、前記第１ＬＥＤからの光を車両後方に向けて照射し、前記第２ＬＥＤからの光を前記リフレクタの反射面で下方に向けて反射させてライセンスプレートを上方から照明するライセンスランプ一体型テールランプにおいて、
前記ＬＥＤ基板の位置を車両前後方向に調整可能としたことを特徴とするライセンスランプ一体型テールランプ。
【請求項３】
ハウジング一体型のリフレクタとこれを覆うレンズによって画成された灯室内に、ＬＥＤ基板と、該ＬＥＤ基板の表裏に第１ＬＥＤと第２ＬＥＤをそれぞれ実装し、前記第１ＬＥＤからの光を車両後方に向けて照射し、前記第２ＬＥＤからの光を前記リフレクタの反射面で下方に向けて反射させてライセンスプレートを上方から照明するライセンスランプ一体型テールランプにおいて、
前記リフレクタの反射部の形状を変更可能としたことを特徴とするライセンスランプ一体型テールランプ。
【請求項４】
前記レンズの底壁に段部を形成し、該段部に前記ＬＥＤ基板の下端縁を係合させたことを特徴とする請求項１又は３記載のライセンスランプ一体型テールランプ。
【発明の詳細な説明】
【技術分野】
【０００１】
本発明は、ライセンスプレートを照明するライセンスランプとテールランプとを一体化して成るライセンスランプ一体型テールランプに関するものである。
【背景技術】
【０００２】
例えば、自動二輪車の夜間での走行時には、車体後部に配置されたテールランプとライセンスランプが点灯されるが、これらのテールランプとライセンスランプとを一体化して成るライセンスランプ一体型テールランプが提案され、既に実用に供されている。
【０００３】
ところで、同一車種であっても、その仕向地によっては法規の違いからライセンスプレートの取付角度等が異なる場合がある。このため、特許文献１には、テールランプの位置を変えることなくライセンスランプの位置を調整可能としたライセンスランプ一体型テールランプが提案されている。
【０００４】
しかしながら、特許文献１において提案されたライセンスランプ一体型テールランプにおいては、テールランプの光源であるＬＥＤとライセンスランプの光源であるＬＥＤが別個のＬＥＤ基板上に実装されているため、組立工数が増加してコストアップを招く他、省スペース化を図ることができないという問題がある。
【０００５】
そこで、特許文献２には、テールランプの光源であるＬＥＤとライセンスランプの光源であるＬＥＤを同一基板上に実装することによって、部品実装や組立工数を削減してコストダウンを図るとともに、省スペース化を実現することができるライセンスランプ一体型テールランプが提案されている。
【先行技術文献】
【特許文献】
【０００６】
【特許文献１】特開２００８−１２６７０８号公報
【特許文献２】特開２０１２−０９４３８０号公報
【発明の概要】
【発明が解決しようとする課題】
【０００７】
しかしながら、特許文献２において提案されたライセンスランプ一体型テールランプにおいては、ライセンスランプの位置調整が不可能であるため、法規の違いによるライセンスプレートの取付角度の違いに対応することができないという問題がある。
【０００８】
本発明は上記観点に鑑みてなされたもので、その目的とする処は、コストダウンや省スペース化を図りつつ、ライセンスプレートの取付角度の違いに対応することができるライセンスランプ一体型テールランプを提供することにある。
【課題を解決するための手段】
【０００９】
上記目的を達成するため、請求項１記載の発明は、  ハウジング一体型のリフレクタとこれを覆うレンズによって画成された灯室内に、ＬＥＤ基板と、該ＬＥＤ基板の表裏に第１ＬＥＤと第２ＬＥＤをそれぞれ実装し、前記第１ＬＥＤからの光を車両後方に向けて照射し、前記第２ＬＥＤからの光を前記リフレクタの反射面で下方に向けて反射させてライセンスプレートを上方から照明するライセンスランプ一体型テールランプにおいて、前記ＬＥＤ基板上での前記第２ＬＥＤの上下方向位置を調整可能としたことを特徴とする。
【００１０】
請求項２記載の発明は、ハウジング一体型のリフレクタとこれを覆うレンズによって画成された灯室内に、ＬＥＤ基板と、該ＬＥＤ基板の表裏に第１ＬＥＤと第２ＬＥＤをそれぞれ実装し、前記第１ＬＥＤからの光を車両後方に向けて照射し、前記第２ＬＥＤからの光を前記リフレクタの反射面で下方に向けて反射させてライセンスプレートを上方から照明するライセンスランプ一体型テールランプにおいて、前記ＬＥＤ基板の位置を車両前後方向に調整可能としたことを特徴とする。
【００１１】
請求項３記載の発明は、ハウジング一体型のリフレクタとこれを覆うレンズによって画成された灯室内に、ＬＥＤ基板と、該ＬＥＤ基板の表裏に第１ＬＥＤと第２ＬＥＤをそれぞれ実装し、前記第１ＬＥＤからの光を車両後方に向けて照射し、前記第２ＬＥＤからの光を前記リフレクタの反射面で下方に向けて反射させてライセンスプレートを上方から照明するライセンスランプ一体型テールランプにおいて、前記リフレクタの反射部の形状を変更可能としたことを特徴とする。
【００１２】
請求項４記載の発明は、請求項１又は３記載の発明において、前記レンズの底壁に段部を形成し、該段部に前記ＬＥＤ基板の他端縁を係合させたことを特徴とする。
【発明の効果】
【００１３】
請求項１記載の発明によれば、ＬＥＤ基板上での第２ＬＥＤの上下方向位置をライセンスプレートの取付角度に応じて調整することができ、同一車種であっても、仕向地の法規の違いによる種々のライセンスプレートの取付角度の違いに柔軟に対応することができ、ライセンスプレートを常に適正に照明することができる。そして、テールランプ用の第１ＬＥＤとライセンスランプ用の第２ＬＥＤを同一ＬＥＤ基板の表裏にそれぞれ実装したため、組立工数の削減によるコストダウンと省スペース化を実現することができる。
【００１４】
請求項２記載の発明によれば、ライセンスプレートの取付角度に応じてＬＥＤ基板の位置を車両前後方向に調整することによって、仕向地の法規の違いによる種々のライセンスプレートの取付角度の違いに柔軟に対応することができ、ライセンスプレートを常に適正に照明することができる。
【００１５】
請求項３記載の発明によれば、ライセンスプレートの取付角度に応じてリフレクタの反射部の形状を変更することによって、仕向地の法規の違いによる種々のライセンスプレートの取付角度の違いに柔軟に対応することができ、ライセンスプレートを常に適正に照明することができる。
【００１６】
請求項４記載の発明によれば、レンズの底壁に形成された段部にＬＥＤ基板の下端縁を係合させたため、ライセンスランプ用の第２ＬＥＤからの光のテールランプ側への漏れが防がれる。
【図面の簡単な説明】
【００１７】
【図１】第１発明に係るライセンスランプ一体型テールランプの正面図である。
【図２】図１のＡ−Ａ線断面図である。
【図３】第２発明に係るライセンスランプ一体型テールランプの側断面図である。
【図４】第３発明に係るライセンスランプ一体型テールランプの側断面図である。
【発明を実施するための形態】
【００１８】
以下に本発明の実施の形態を添付図面に基づいて説明する。
【００１９】
［第１発明］
図１は第１発明に係るライセンスランプ一体型テールランプの正面図、図２は図１のＡ−Ａ線断面図であり、図示のライセンスランプ一体型テールランプ１は、例えば自動二輪車の車体後部に配置されるものであって、テールランプとライセンスランプを一体化して成るものである。
【００２０】
図示のライセンスランプ一体型テールランプ１においては、ハウジング一体化他のリフレクタ２とこれを覆うレンズ３によって画成される灯室４内にＬＥＤ基板５が垂直に立設された状態で収容されているが、灯室４内はＬＥＤ基板５によってテールランプ部６とライセンスランプ部７とに区画されている。
【００２１】
上記リフレクタ２は、光不透過性樹脂によって図１に示すように正面視多角形状に一体成形されており、その周縁にはフランジ２ａが形成され、図２に示すように内面の中間高さ位置にはボス２ｂが車両後方（図２の左方）に向かって一体に突設されている。
【００２２】
前記レンズ３は、透明な光透過性樹脂によって有底多角筒状に一体成形されており、その開口部の周縁に形成されたフランジ３ａをリフレクタ２のフランジ２ａに接着することによってリフレクタ２に固定されている。尚、図２に示すように、レンズ３の内面には配光処理が施されている。
【００２３】
ところで、前記ＬＥＤ基板５はレンズ３の内面形状に合わせて多角形状に成形されており、これは図２に示すようにリフレクタ２に突設された前記ボス２ｂにビスによって締結されて灯室４内に垂直に収容されている。そして、このＬＥＤ基板５の表裏、即ち、灯室４内のテールランプ部６に臨む面には図１に示すようにテールランプ用の６つの第１ＬＥＤ９が上下２段（上４つ、下２つ）に亘って実装されており、ＬＥＤ基板５のライセンスランプ部７に臨む反対側の面にはライセンスランプ用の１つの第２ＬＥＤ１０が実装されている。
【００２４】
又、前記リフレクタ２の第２ＬＥＤ１０に対向する箇所には円弧曲面状の反射部２Ａが形成されており、この反射部２Ａの内面は、第２ＬＥＤ１０の近傍に焦点を有する放物面系の反射面２ｃを構成している。尚、反射面２ｃにはアルミ蒸着等の反射処理が施されている。
【００２５】
更に、本実施の形態においては、図２に示すように、レンズ３の底壁には段部３ｂが形成されており、この段部３ｂにはＬＥＤ基板５の下端縁が係合している。
【００２６】
而して、以上のように構成されたライセンスランプ一体型テールランプ１において、夜間等に第１ＬＥＤ９と第２ＬＥＤ１０が同時に起動されてこれらが点灯すると、テールランプ用の第１ＬＥＤ９からの光は、レンズ３を通過して車両後方に向かい、ライセンスランプ用の第２ＬＥＤ１０からの光は、リフレクタ２の反射面２ｃで反射して下方へと向かい、当該ライセンスランプ一体型テールランプ１の下方に取り付けられた不図示のライセンスプレートを上方から照明する。
【００２７】
ところで、本実施の形態においては、ＬＥＤ基板５の位置を固定した状態で、第２ＬＥＤ１０の上下位置をＬＥＤ基板５上で調整可能であって、該第２ＬＥＤ１０を図２に実線にて示す位置から鎖線にて示す位置へと上下方向に移動させることができる。
【００２８】
従って、本発明に係るライセンスランプ一体型テールランプ１を備える自動二輪車においては、同一車種であっても、仕向地の法規の違いによる種々のライセンスプレートの取付角度の違いに応じて第２ＬＥＤ１０の上下位置を調整することによって、ライセンスプレートを常に適正に照明することができる。
【００２９】
又、本発明に係るライセンスランプ一体型テールランプ１においては、テールランプ用の第１ＬＥＤ９とライセンスランプ用の第２ＬＥＤ１０を同一ＬＥＤ基板５の表裏にそれぞれ実装したため、組立工数の削減によるコストダウンと省スペース化を実現することができる。
【００３０】
更に、本実施の形態では、図２に示すようにレンズ３の底壁に形成された段部３ｂにＬＥＤ基板５の下端縁を係合させたため、ライセンスランプ用の第２ＬＥＤ１０からの光のテールランプ側への漏れが防がれ、視認者に違和感を与えることがない。
【００３１】
［第２発明］
次に、第２発明の実施の形態を図３に基づいて以下に説明する。
【００３２】
図３は第２発明に係るライセンスランプ一体型テールランプの側断面図であり、本図においては図２に示したものと同一要素には同一符号を付しており、以下、それらについての再度の説明は省略する。
【００３３】
本発明に係るライセンスランプ一体型テールランプ１は、ＬＥＤ基板５の位置を車両前後方向に調整可能としたことを特徴としている。具体的には、例えばリフレクタ２のボス２ｂの高さを図２に示したものよりも低くし、これにビス８によって固定されるＬＥＤ基板５を図３の鎖線にて示す位置から実線位置へと車両前方に移動させることができるようにしている。
【００３４】
従って、本発明によれば、ライセンスプレートの取付角度に応じてＬＥＤ基板５の位置を車両前後方向に調整することによって、仕向地の法規の違いによる種々のライセンスプレートの取付角度の違いに柔軟に対応することができ、ライセンスプレートを常に適正に照明することができる。
【００３５】
又、本発明に係るライセンスランプ一体型テールランプ１においても、テールランプ用の第１ＬＥＤ９とライセンスランプ用の第２ＬＥＤ１０を同一ＬＥＤ基板５の表裏にそれぞれ実装したため、組立工数の削減によるコストダウンと省スペース化を実現することができる。
【００３６】
［第３発明］
次に、第３発明の実施の形態を図４に基づいて以下に説明する。
【００３７】
図４は第３発明に係るライセンスランプ一体型テールランプの側断面図であり、本図においても図２に示したものと同一要素には同一符号を付しており、以下、それらについての再度の説明は省略する。
【００３８】
本発明に係るライセンスランプ一体型テールランプ１は、リフレクタ２の反射部２Ａの形状を変更可能としたことを特徴としている。具体的には、リフレクタ２の反射部２Ａの形状を図４に鎖線にて示すものから実線にて示すものへと変更することができる。尚、このようなリフレクタ２の反射部２Ａの形状の変更は、リフレクタ２の成形時に、反射部２Ａを成形するための入れ子を交換することによって簡単になされる。
【００３９】
従って、本発明によれば、ライセンスプレートの取付角度に応じてリフレクタ２の反射部２Ａの形状を変更することによって、仕向地の法規の違いによる種々のライセンスプレートの取付角度の違いに柔軟に対応することができ、ライセンスプレートを常に適正に照明することができる。
【００４０】
又、本発明に係るライセンスランプ一体型テールランプ１においても、テールランプ用の第１ＬＥＤ９とライセンスランプ用の第２ＬＥＤ１０を同一ＬＥＤ基板５の表裏にそれぞれ実装したため、組立工数の削減によるコストダウンと省スペース化を実現することができる。
【００４１】
更に、本実施の形態では、図４に示すようにレンズ３の底壁に形成された段部３ｂにＬＥＤ基板５の下端縁を係合させたため、ライセンスランプ用の第２ＬＥＤ１０からの光のテールランプ側への漏れが防がれ、視認者に違和感を与えることがない。
【符号の説明】
【００４２】
１      ライセンスランプ一体型テールランプ
２      リフレクタ
２Ａ    リフレクタの反射部
２ａ    リフレクタのフランジ
２ｂ    リフレクタのボス
２ｃ    リフレクタの反射面
３      レンズ
３ａ    レンズのフランジ
３ｂ    レンズの段部
４      灯室
５      ＬＥＤ基板
６      テールランプ部
７      ライセンスランプ部
８      ビス
９      第１ＬＥＤ
１０    第２ＬＥＤ
【図１】
2014103061.tif 000003
【図２】
2014103061.tif 000004
【図３】
2014103061.tif 000005
【図４】
2014103061.tif 000006